(57)【要約】  誘導性に結合される通信のための方法が説明される。方法は、キャリア周波数のキャリア信号をアンテナ回路に適用することを含む。アンテナ回路は、共振周波数で共振する整合ネットワークとアンテナとを含む。方法は、インピーダンス値の範囲にわたってループバック信号を測定することも含む。ループバック信号は、アンテナ回路に結合された受信機によって受信されたキャリア信号を含む。方法は、ループバック信号において共振ピークを作り出すインピーダンス構成として較正インピーダンスを設定することをさらに含む。【選択図】図１
2017538377.tif 000002
【特許請求の範囲】
【請求項１】
誘導的に結合された通信のための方法であって、
キャリア周波数のキャリア信号をアンテナ回路に適用すること、前記アンテナ回路は、共振周波数で共振する整合ネットワークとアンテナとを備える、と
インピーダンス値の範囲にわたってループバック信号を測定すること、前記ループバック信号は、前記アンテナ回路に結合された受信機によって受信された前記キャリア信号を備える、と、
前記ループバック信号において共振ピークを作り出すインピーダンス構成として較正インピーダンスを設定することと、
を備える方法。
【請求項２】
インピーダンス値の範囲にわたって前記ループバック信号を測定することは、
第１のインピーダンス構成を前記アンテナ回路に適用することと、
前記第１のインピーダンス構成に基づいて、前記ループバック信号の共振を測定することと、
適用すべき後続のインピーダンス構成が存在するかどうかを決定することと、
前記後続のインピーダンス構成を前記アンテナ回路に適用することと、
前記後続のインピーダンス構成に基づいて、前記ループバック信号の共振を測定することと、
を備える、請求項１に記載の方法。
【請求項３】
前記整合ネットワークのデフォルトのインピーダンスと前記較正インピーダンスとの間の差分に基づいて、インピーダンスオフセットを決定することと、
前記較正インピーダンスを設定するために使用される前記キャリア周波数とは異なる第２のキャリア周波数を使用する動作のために、前記インピーダンスオフセットを前記整合ネットワークに適用することと、
をさらに備える、請求項１に記載の方法。
【請求項４】
インピーダンス値の前記範囲にわたって前記ループバック信号を測定することは、前記ループバック信号に比例するＤＣレベルを測定することを備え、前記ＤＣレベルは、インピーダンス値の前記範囲にわたって測定される、
請求項１に記載の方法。
【請求項５】
インピーダンス構成は、前記アンテナ回路において所与のインピーダンスを作り出す前記整合ネットワーク内の１つまたは複数のキャパシタに適用される一組の容量値を備える、
請求項１に記載の方法。
【請求項６】
前記キャリア信号は、前記アンテナ回路に結合された近距離通信（ＮＦＣ）イニシエータ送信機によって生成され、前記キャリア信号は、前記アンテナ回路に結合されたＮＦＣイニシエータ受信機によって受信される、
請求項１に記載の方法。
【請求項７】
誘導的に結合された通信のための電子デバイスであって、
プロセッサと、
前記プロセッサと通信状態にあるメモリと、
前記メモリ内に記憶された命令であって、
キャリア周波数のキャリア信号をアンテナ回路に適用すること、前記アンテナ回路は、共振周波数で共振する整合ネットワークとアンテナとを備える、と、
インピーダンス値の範囲にわたってループバック信号を測定すること、前記ループバック信号は、前記アンテナ回路に結合された受信機によって受信された前記キャリア信号を備える、と、
前記ループバック信号において共振ピークを作り出すインピーダンス構成として較正インピーダンスを設定することと、
を前記プロセッサによって実行可能である前記命令、と
を備える電子デバイス。
【請求項８】
インピーダンス値の範囲にわたって前記ループバック信号を測定することを実行可能とする前記命令は、
第１のインピーダンス構成を前記アンテナ回路に適用することと、
前記第１のインピーダンス構成に基づいて、前記ループバック信号の共振を測定することと、
適用すべき後続のインピーダンス構成が存在するかどうかを決定することと、
前記後続のインピーダンス構成を前記アンテナ回路に適用することと、
前記後続のインピーダンス構成に基づいて、前記ループバック信号の共振を測定することと、
を実行可能な命令を備える、請求項７に記載の電子デバイス。
【請求項９】
前記整合ネットワークのデフォルトのインピーダンスと前記較正インピーダンスとの間の差分に基づいて、インピーダンスオフセットを決定することと、
前記較正インピーダンスを設定するために使用される前記キャリア周波数と異なる第２のキャリア周波数を使用する動作のために、前記インピーダンスオフセットを前記整合ネットワークに適用することと、
を実行可能な命令をさらに備える、請求項７に記載の電子デバイス。
【請求項１０】
インピーダンス値の範囲にわたって前記ループバック信号を測定することを実行可能とする前記命令は、前記ループバック信号に比例するＤＣレベルを測定することを実行可能な命令を備え、前記ＤＣレベルは、インピーダンス値の前記範囲にわたって測定される
請求項７に記載の電子デバイス。
【請求項１１】
インピーダンス構成は、前記アンテナ回路において所与のインピーダンスを作り出す前記整合ネットワーク内の１つまたは複数のキャパシタに適用される一組の容量値を備える、請求項７に記載の電子デバイス。
【請求項１２】
前記キャリア信号は、前記アンテナ回路に結合された近距離通信（ＮＦＣ）イニシエータ送信機によって生成され、前記キャリア信号は、前記アンテナ回路に結合されたＮＦＣイニシエータ受信機によって受信される、請求項７に記載の電子デバイス。
【請求項１３】
誘電結合された通信のための装置であって、
キャリア周波数のキャリア信号をアンテナ回路に適用するための手段、前記アンテナ回路は、共振周波数で共振する整合ネットワークとアンテナとを備える、と、
インピーダンス値の範囲にわたってループバック信号を測定するための手段、前記ループバック信号は、前記アンテナ回路に結合された受信機によって受信された前記キャリア信号を備える、と、
前記ループバック信号において共振ピークを作り出すインピーダンス構成として較正インピーダンスを設定するための手段と
を備える装置。
【請求項１４】
インピーダンス値の範囲にわたって前記ループバック信号を測定するための前記手段は、
第１のインピーダンス構成を前記アンテナ回路に適用するための手段と、
前記第１のインピーダンス構成に基づいて、前記ループバック信号の共振を測定するための手段と、
適用すべき後続のインピーダンス構成が存在するかどうかを決定するための手段と、
前記後続のインピーダンス構成を前記アンテナ回路に適用するための手段と、
前記後続のインピーダンス較正に基づいて、前記ループバック信号の共振を測定するための手段と、
を備える、請求項１３に記載の装置。
【請求項１５】
前記整合ネットワークのデフォルトのインピーダンスと前記較正インピーダンスとの差分に基づいて、インピーダンスオフセットを決定するための手段と、
前記較正インピーダンスを設定するために使用される前記キャリア周波数とは異なる第２のキャリア周波数を使用する動作のために、前記インピーダンスオフセットを前記整合ネットワークに適用するための手段と
をさらに備える、請求項１３に記載の装置。
【請求項１６】
命令を有する非一時的なコンピュータ可読媒体を備えるコンピュータプログラム製品であって、前記命令は、
電子デバイスに、キャリア周波数のキャリア信号をアンテナ回路に適用させるためのコード、前記アンテナ回路は、共振周波数で共振する整合ネットワークとアンテナとを備える、と、
前記電子デバイスに、インピーダンス値の範囲にわたってループバック信号を測定させるためのコード、前記ループバック信号は、前記アンテナ回路に結合された受信機によって受信された前記キャリア信号を備える、と、
前記電子デバイスに、前記ループバック信号において共振ピークを作り出すインピーダンス構成として較正インピーダンスを設定させるためのコードと、
を備える、コンピュータプログラム製品。
【請求項１７】
前記電子デバイスに、インピーダンス値の範囲にわたって前記ループバック信号を測定させるための前記コードは、
前記電子デバイスに、第１のインピーダンス構成を前記アンテナ回路に適用させるためのコードと、
前記電子デバイスに、前記第１のインピーダンス構成に基づいて、前記ループバック信号の共振を測定させるためのコードと、
前記電子デバイスに、適用すべき後続のインピーダンス構成が存在するかどうかを決定させるためのコードと、
前記電子デバイスに、前記後続のインピーダンス構成を前記アンテナ回路に適用させるためのコードと、
前記電子デバイスに、前記後続のインピーダンス構成に基づいて、前記ループバック信号の共振を測定させるためのコードと、
を備える、請求項１６に記載のコンピュータプログラム製品。
【請求項１８】
前記電子デバイスに、前記整合ネットワークのデフォルトのインピーダンスと前記較正インピーダンスとの間の差分に基づいて、インピーダンスオフセットを決定させるためのコードと、
前記電子デバイスに、前記較正インピーダンスを設定するために使用される前記キャリア周波数とは異なる第２のキャリア周波数を使用する動作のために、前記インピーダンスオフセットを前記整合ネットワークに適用させるためのコードと、
をさらに備える、請求項１６に記載のコンピュータプログラム製品。
【請求項１９】
誘導的に結合された通信のための方法であって、
同調範囲においてキャリア周波数のキャリア信号を適用すること、前記アンテナ回路は、共振周波数で共振する整合ネットワークとアンテナとを備える、と、
ループバック信号において共振ピークを作り出す前記適用されたキャリア周波数の前記キャリア信号についての較正インピーダンスを決定すること、前記ループバック信号は、前記アンテナ回路に結合された受信機によって受信された前記キャリア信号を備える、と、
前記較正インピーダンスを前記キャリア周波数と関連付けることと、
を備える方法。
【請求項２０】
前記同調範囲において較正すべき次のキャリア周波数が存在すると決定することと、
前記同調範囲において前記次のキャリア周波数のキャリア信号を適用することと、
前記ループバック信号において共振ピークを作り出す前記次のキャリア周波数の前記キャリア信号についての較正インピーダンスを決定することと、
前記較正インピーダンスを前記次のキャリア周波数と関連付けることと、
をさらに備える、請求項１９に記載の方法。
【請求項２１】
前記キャリア周波数の関連付けに基づいて、所与のキャリア周波数に対して較正インピーダンスを適用すること
をさらに備える、請求項１９に記載の方法。
【請求項２２】
誘導的に結合された通信のための電子デバイスであって、
プロセッサと、
前記プロセッサと通信状態にあるメモリと、
前記メモリ内に記憶された命令であって、
同調範囲においてキャリア周波数のキャリア信号を適用すること、前記アンテナ回路は、共振周波数で共振する整合ネットワークとアンテナとを備える、と、
ループバック信号において共振ピークを作り出す前記適用されたキャリア周波数の前記キャリア信号についての較正インピーダンスを決定すること、前記ループバック信号は、前記アンテナ回路に結合された受信機によって受信された前記キャリア信号を備える、と、
前記較正インピーダンスを前記キャリア周波数と関連付けることと、
を前記プロセッサによって実行可能である前記命令、と
を備える電子デバイス。
【請求項２３】
前記同調範囲において較正すべき次のキャリア周波数が存在すると決定することと、
前記同調範囲において前記次のキャリア周波数のキャリア信号を適用することと、
前記ループバック信号において共振ピークを作り出す前記次のキャリア周波数の前記キャリア信号についての較正インピーダンスを決定することと、
前記較正インピーダンスを前記次のキャリア周波数と関連付けることと、
を実行可能な命令をさらに備える、請求項２２に記載の電子デバイス。
【請求項２４】
前記キャリア周波数の関連付けに基づいて、所与のキャリア周波数に対して較正インピーダンスを適用すること
を実行可能な命令をさらに備える、請求項２２に記載の電子デバイス。
【請求項２５】
誘導的に結合された通信のための装置であって、
同調範囲においてキャリア周波数のキャリア信号を適用するための手段、前記アンテナ回路は、共振周波数で共振する整合ネットワークとアンテナとを備える、と、
ループバック信号において共振ピークを作り出す前記適用されたキャリア周波数のキャリア信号についての較正インピーダンスを決定するための手段、前記ループバック信号は、前記アンテナ回路に結合された受信機によって受信された前記キャリア信号を備える、と、
前記較正インピーダンスを前記キャリア周波数と関連付けるための手段と
を備える装置。
【請求項２６】
前記同調範囲において較正すべき次のキャリア周波数が存在すると決定するための手段と、
前記同調範囲において前記次のキャリア周波数のキャリア信号を適用するための手段と、
前記ループバック信号において共振ピークを作り出す前記次のキャリア周波数の前記キャリア信号についての較正インピーダンスを決定するための手段と、
前記較正インピーダンスを前記次のキャリア周波数と関連付けるための手段と
をさらに備える、請求項２５に記載の装置。
【請求項２７】
前記キャリア周波数の関連付けに基づいて、所与のキャリア周波数に対して較正インピーダンスを適用するための手段
をさらに備える、請求項２５に記載の装置。
【請求項２８】
命令を有する非一時的なコンピュータ可読媒体を備えるコンピュータプログラム製品であって、前記命令は、
電子デバイスに、同調範囲においてキャリア周波数のキャリア信号を適用させるためのコード、前記アンテナ回路は、共振周波数で共振する整合ネットワークとアンテナとを備える、と、
前記電子デバイスに、ループバック信号において共振ピークを作り出す前記適用されたキャリア周波数の前記キャリア信号についての較正インピーダンスを決定させるためのコード、前記ループバック信号は、前記アンテナ回路に結合された受信機によって受信された前記キャリア信号を備える、と、
前記電子デバイスに、前記較正インピーダンスを前記キャリア周波数と関連付けさせるためのコードと、
を備える、コンピュータプログラム製品。
【請求項２９】
前記電子デバイスに、前記同調範囲において較正すべき次のキャリア周波数が存在すると決定させるためのコードと、
前記電子デバイスに、前記同調範囲において前記次のキャリア周波数のキャリア信号を適用させるためのコードと、
前記電子デバイスに、前記ループバック信号において共振ピークを作り出す前記次のキャリア周波数の前記キャリア信号についての較正インピーダンスを決定させるためのコードと、
前記電子デバイスに、前記較正インピーダンスを前記次のキャリア周波数と関連付けさせるためのコードと、
をさらに備える、請求項２８に記載のコンピュータプログラム製品。
【請求項３０】
前記電子デバイスに、前記キャリア周波数の関連付けに基づいて、所与のキャリア周波数に対して較正インピーダンスを適用させるためのコード
をさらに備える、請求項２８に記載のコンピュータプログラム製品。
【発明の詳細な説明】
【米国特許法１１９条に基づく優先権の主張】
【０００１】
[0001]本願は、２０１４年１１月７日に出願された「近距離通信（ＮＦＣ）自己較正のための方法および装置」と題する米国仮出願第６２／０７７，０７０号に関し、その優先権を主張する。
【技術分野】
【０００２】
[0002]本開示は、一般的にワイヤレス通信に関する。より具体的には、本開示は、近距離無線通信（ＮＦＣ）自己較正のための方法および装置に関する。
【背景技術】
【０００３】
[0003]技術の進歩は、より小型で、より強力なパーソナルコンピューティングデバイスという結果になった。例えば、それぞれ小型で、軽く、かつユーザによって容易に持ち運ばれることができる携帯用ワイヤレス電話、携帯情報端末（ＰＤＡ）、およびページングデバイスなどのワイヤレスコンピューティングデバイスを含む様々な携帯用パーソナルコンピューティングデバイスが現在存在している。より具体的には、例えば、携帯用ワイヤレス電話は、ワイヤレスネットワークを介して音声およびデータパケットを通信するセルラ電話をさらに含む。多くのそのようなセルラ電話は、コンピューティング能力における比較的大きな増加を伴って製造されており、小型のパーソナルコンピュータおよびハンドヘルドＰＤＡと同等になりつつある。さらに、このようなデバイスは、セルラ通信、ワイヤレスローカルエリアネットワーク（ＷＬＡＮ）通信、近距離通信（ＮＦＣ）など、様々な周波数および適用可能なカバレッジエリアを使用する通信を可能にするように製造されている。
【０００４】
[0004]ＮＦＣが実施されている場合に、ＮＦＣ対応デバイスは、通信リンクを確立し得る。適切に通信を確立するためには、様々なＮＦＣメトリックは、指定した数値内にあるべきである。利点は、これらのＮＦＣメトリックを較正するためにＮＦＣ自己較正を行うことによって実現され得る。
【発明の概要】
【０００５】
[0005]誘導性に結合される通信のための方法が説明される。この方法は、キャリア周波数のキャリア信号をアンテナ回路に適用することを含む。アンテナ回路は、共振周波数で共振する整合ネットワークとアンテナとを備える。この方法は、インピーダンス値の範囲にわたってループバック信号を測定することも含む。ループバック信号は、アンテナ回路に結合された受信機により受信されたキャリア信号を含む。この方法は、ループバック信号において共振ピークを作り出すインピーダンス構成として、較正インピーダンスを設定することをさらに含む。
【０００６】
[0006]インピーダンス値の範囲にわたってループバック信号を測定することは、第１のインピーダンス構成をアンテナ回路に適用することを含み得る。第１のインピーダンス較正に基づいて、ループバック信号の共振が測定され得る。適用すべき後続のインピーダンス構成が存在するかどうかが決定され得る。後続のインピーダンス構成は、アンテナ回路に適用され得る。後続のインピーダンス構成に基づいて、ループバック信号の共振が測定され得る。
【０００７】
[0007]方法は、また、整合ネットワークのデフォルトのインピーダンスと較正インピーダンスとの間の差分に基づいて、インピーダンスオフセットを決定することを含む。インピーダンスオフセットは、較正インピーダンスを設定するために使用されるキャリア周波数とは異なる第２のキャリア周波数を使用する動作のために、整合ネットワークに適用され得る。
【０００８】
[0008]インピーダンス値の範囲にわたってループバック信号を測定することは、ループバック信号に比例するＤＣレベルを測定することを含み得る。ＤＣレベルは、インピーダンス値の範囲にわたって測定され得る。
【０００９】
[0009]インピーダンス構成は、アンテナ回路において所与のインピーダンスを作り出す整合ネットワーク内の１つまたは複数のキャパシタに適用される一組の容量値を含み得る。
【００１０】
[0010]キャリア信号は、アンテナ回路に結合された近距離通信（ＮＦＣ)イニシエータ送信機によって生成され得る。キャリア信号は、アンテナ回路に結合されたＮＦＣイニシエータ受信機によって受信され得る。
【００１１】
[0011]誘導性に結合される通信のための電子デバイスもまた説明される。電子デバイスは、プロセッサと、プロセッサと通信状態にあるメモリと、メモリに記憶された命令とを含む。この命令は、キャリア周波数のキャリア信号をアンテナ回路に適用するようにプロセッサによって実行可能である。アンテナ回路は、アンテナと、共振周波数で共振する整合ネットワークとを含む。この命令は、インピーダンス値の範囲にわたってループバック信号を測定するように実行可能である。ループバック信号は、アンテナ回路に結合された受信機によって受信されたキャリア信号を含む。この命令は、ループバック信号において共振ピークを作り出すインピーダンス構成として較正インピーダンスを設定するようにさらに実行可能である。
【００１２】
[0012]誘導性に結合される通信のための装置もまた説明される。この装置は、キャリア周波数のキャリア信号をアンテナ回路に適用するための手段を含む。アンテナ回路は、共振周波数で共振する整合ネットワークとアンテナとを含む。この装置は、インピーダンス値の範囲にわたってループバック信号を測定するための手段も含む。ループバック信号は、アンテナ回路に結合された受信機により受信されたキャリア信号を含む。この装置は、ループバック信号において共振ピークを作り出すインピーダンス構成として較正インピーダンスを設定するための手段をさらに含む。
【００１３】
[0013]コンピュータプログラム製品もまた説明される。このコンピュータプログラム製品は、命令を有する非一時的コンピュータ可読媒体を含む。この命令は、キャリア周波数のキャリア信号をアンテナ回路に適用することを電子デバイスにさせるためのコードを含む。アンテナ回路は、アンテナと、共振周波数で共振する整合ネットワークとを含む。この命令は、電子デバイスにインピーダンス値の範囲にわたってループバック信号を測定させるためのコードも含む。ループバック信号は、アンテナ回路に結合された受信機によって受信されたキャリア信号を含む。この命令は、電子デバイスにループバック信号において共振ピークを作り出すインピーダンス構成として較正インピーダンスを設定させるためのコードをさらに含む。
【００１４】
[0014]誘導性に結合される通信のための方法が説明される。この方法は、同調範囲においてキャリア周波数のキャリア信号を適用することを含む。アンテナ回路は、共振周波数で共振する整合ネットワークとアンテナとを含む。この方法は、ループバック信号において共振ピークを作り出す適用されたキャリア周波数のキャリア信号についての較正インピーダンスを決定することも含む。ループバック信号は、アンテナ回路に結合された受信機によって受信されるキャリア信号を含む。この方法は、較正インピーダンスをキャリア周波数と関連付けることをさらに含む。
【００１５】
[0015]この方法は、同調範囲において較正すべき次のキャリア周波数が存在すると決定することも含む。キャリア信号は、同調範囲において次のキャリア周波数が適用され得る。較正インピーダンスは、ループバック信号において共振ピークを作り出す次のキャリア周波数のキャリア信号について決定され得る。較正インピーダンスは、次のキャリア周波数に関連付けされ得る。
【００１６】
[0016]この方法は、キャリア周波数の関連付けに基づいて、所与のキャリア周波数に対して較正インピーダンスを適用することも含む。
【００１７】
[0017]誘導性に結合される通信のための電子デバイスもまた説明される。この電子デバイスは、プロセッサと、プロセッサと電子通信状態にあるメモリと、メモリ中に記憶された命令とを含む。この命令は、同等範囲におけるキャリア周波数のキャリア信号を適用するようにプロセッサによって実行可能である。アンテナ回路は、共振周波数で共振する整合ネットワークとアンテナとを含む。この命令は、また、ループバック信号において共振ピークを作り出す適用されたキャリア周波数のキャリア信号についての較正インピーダンスを決定するように実行可能である。ループバック信号は、アンテナ回路に結合された受信機により受信されたキャリア信号を含む。この命令は、較正インピーダンスをキャリア周波数と関連付けるようにさらに実行可能である。
【００１８】
[0018]誘導性に結合される通信のための装置もまた説明される。この装置は、同調範囲においてキャリア周波数のキャリア信号を適用するための手段を含む。アンテナ回路は、共振周波数で共振する整合ネットワークとアンテナとを含む。この装置は、ループバック信号において共振ピークを作り出す適用されたキャリア周波数のキャリア信号についての較正インピーダンスを決定するための手段を含む。ループバック信号は、アンテナ回路に結合された受信機によって受信されたキャリア信号を含む。この装置は、較正インピーダンスをキャリア周波数と関連付けるための手段をさらに含む。
【００１９】
[0019]コンピュータプログラム製品もまた説明される。コンピュータプログラム製品は、命令を有する非一時的なコンピュータ可読媒体を含む。この命令は、電子デバイスに、同調範囲においてキャリア周波数のキャリア信号を適用させるためのコードを含む。アンテナ回路は、共振周波数で共振する整合ネットワークとアンテナとを含む。この命令は、電子デバイスに、ループバック信号において共振ピークを作り出す適用されたキャリア周波数のキャリア信号についての較正インピーダンスを決定させるためのコードも含む。ループバック信号は、アンテナ回路に結合された受信機によって受信されたキャリア信号を含む。この命令は、電子デバイスに較正インピーダンスをキャリア周波数と関連付けさせるためのコードをさらに含む。
【図面の簡単な説明】
【００２０】
【図１】[0020]図１は、自己較正用に構成された近距離通信（ＮＦＣ）デバイスの一構成を示すブロック図である。
【図２】[0021]図２は、共振周波数を較正するための方法を示すフロー図である。
【図３】[0022]図３は、共振周波数の自己較正のために構成されたＮＦＣデバイスの一構成を示すブロック図である。
【図４】[0023]図４は、共振周波数を較正するための方法の詳細な構成を示すフロー図である。
【図５】[0024]図５は、同調範囲にわたって複数の共振周波数を較正するための方法を示すフロー図である。
【図６】[0025]図６は、１つまたは複数の自動利得制御（ＡＧＣ）閾値を較正するための方法を示すフロー図である。
【図７】[0026]図７は、負荷変調メトリックを較正するための方法を示すフロー図である。
【図８】[0027]図８は、モデム取得閾値を較正するための方法を示すフロー図である。
【図９】[0028]図９は、ＮＦＣデバイスの詳細な構成を示すブロック図である。
【図１０】[0029]図１０は、無線通信システムにおける誘導性に結合される通信の一構成を示すブロック図である。
【図１１】[0030]図１１は、近距離無線通信システムの簡易化された模式図を示している。
【図１２】[0031]図１２は、電子デバイス内に含まれ得る一定のコンポーネントを示す図。
【発明を実施するための形態】
【００２１】
[0032]添付された図面に関連して以下に述べる詳細な説明は、本開示の例証的な実施形態の説明として意図されており、本開示が実践され得る唯一の実施形態を表すことを意図するものではない。この説明全体を通して使用される「例証的（exemplary）」という用語は、「例、事例、または例示としての役割を果たすこと」を意味し、他の例証的な実施形態よりも有利であるまたは好ましいと必ずしも解釈されるべきではない。詳細な説明は、本開示の例証的な実施形態の完全な理解を提供することを目的とした具体的な詳細を含む。いくつかの例では、いくつかのデバイスがブロック図の形態で示される。
【００２２】
[0033]説明の簡略化の目的で、方法論は一連の行為として説明され示されているが、１つまたは複数の態様に従って、いくつかの行為は異なる順序および／または本明細書に示され説明されている他の行為と同時に起こり得るので、方法論は行為の順序によって限定されないことを理解および認識されるべきである。例えば、当業者は、方法論が状態図のような一連の相互関係のある状態または事象として代替的に表されることが可能であることを理解および認識するだろう。その上、１つまたは複数の態様に従って方法論を実施するために、図示された全ての行為が必要とされる訳ではない。
【００２３】
[0034]ここで、様々な構成が図面を参照して説明され、同様の参照符号は機能的に類似した要素を示し得る。本明細書に大まかに記載された図において図示されるシステムおよび方法は、多種多様な構成で配置および設計されることが可能である。それゆえに、図面において示されているようないくつかの構成の以下のより詳細な説明は、特許請求の範囲に記載される範囲を制限することを意図したものではなく、単にシステムおよび方法を代表するものにすぎない。
【００２４】
[0035]図１は、自己較正用に構成された近距離通信（ＮＦＣ）デバイス１０２の一構成を示すブロック図である。ＮＦＣデバイス１０２は、ＮＦＣプロトコルを使用するリモートデバイス（図示せず）と通信し得る無線通信デバイスであり得る。ＮＦＣは、誘導性に結合される通信技術である。したがって、ＮＦＣデバイス１０２は、誘導性に結合される通信デバイスとも呼ばれ得る。
【００２５】
[0036]ＮＦＣのコンテキストでは、イニシエータとターゲットの２つの通信するデバイスがある。ＮＦＣデバイス１０２は、コンテキストに依存してターゲットまたはイニシエータのうちどちらか一方であり得る。イニシエータＮＦＣデバイスのアンテナ１２４は、ターゲットＮＦＣデバイスのアンテナ１２４によって受信される放射場（磁場または電磁場とも呼ばれる）を作り出す。イニシエータＮＦＣデバイスは、ポーラ、ポーリングデバイス、またはイニシエータとも呼ばれ得る。ターゲットＮＦＣデバイスは、リスナ、リスニングデバイス、またはターゲットとも呼ばれ得る。
【００２６】
[0037]ＮＦＣデバイス１０２は、リモートデバイスと通信するための１つまたは複数のＮＦＣ信号技術を使用し得る。ＮＦＣ信号技術は、ＮＦＣタイプＡと、ＮＦＣタイプＢと、ＮＦＣタイプＦとを含み得る。ＮＦＣ信号技術は、利用された変調方式が異なる。
【００２７】
[0038]ＮＦＣは、４つの異なるタグ形式を有し、それは、ＮＦＣ信号技術のサブセットをサポートする。タイプ１タグ（Ｔ１Ｔ）は、データ衝突保護無しでＮＦＣタイプＡ通信を使用する。タイプ２タグ（Ｔ２Ｔ）は、非衝突でＮＦＣタイプＢ通信を使用する。タイプ３タグ（Ｔ３Ｔ）は、非衝突でＮＦＣタイプＦを使用する。タイプ４タグ（Ｔ４Ｔ）は、非衝突でＮＦＣタイプＢ（Ｔ４ＢＴ）またはＮＦＣタイプＡ（Ｔ４ＡＴ）のうちいずれか一方を使用することが可能である。
【００２８】
[0039]一構成では、ＮＦＣデバイス１０２は、フレーム無線周波数（ＲＦ）インタフェース、ＩＳＯデータ交換プロトコル（ＤＥＰ）ＲＦインタフェース、およびＮＦＣ−ＤＥＰ ＲＦインタフェースのような様々なインタフェースを介してＮＦＣを使用する通信をするように動作可能であり得る。別の構成では、ＮＦＣデバイス１０２は、論理リンク制御プロトコル（ＬＬＣＰ）を介して定義されたリンク層接続と共にＮＦＣ−ＤＥＰ ＲＦプロトコルベースの通信リンクを確立し得る。さらに別の構成では、ＮＦＣデバイス１０２は、アクセスネットワークおよび／またはコアネットワーク（例えば、ＣＤＭＡネットワーク、ＧＰＲＳネットワーク、ＵＭＴＳネットワーク、および他のタイプの有線および無線の通信ネットワーク）に接続されるように動作可能であり得る。
【００２９】
[0040]ＮＦＣデバイス１０２は、ＮＦＣで構成された近くのリモートデバイスをポーリング（poll）し得る。リモートデバイスは、ＮＦＣデバイス１０２の数センチメートル以内に来たときにリスンすることを開始し得る。ＮＦＣデバイス１０２は、その後、どの信号技術を使用できるのかを決定するために、リモートデバイスと通信する。一事例では、ＮＦＣデバイス１０２は、リーダとして作動し得る。一例では、ユーザは、支払取引を開始するために、リモートデバイスの付近にＮＦＣデバイス１０２を配置し得る。
【００３０】
[0041]ＮＦＣデバイス１０２は、リモートデバイスと通信するために、ＲＦ場を生成し得る。ＮＦＣデバイス１０２は、ＮＦＣデバイス１０２に信号（例えば、データ）を送るために、ＲＦ場を変調し得る。リモートデバイスがその信号を受信すると、ＮＦＣデバイス１０２は、ＲＦ場を維持するために連続波を送信し得る。連続波は、キャリア周波数１０６を有し得る。ＮＦＣの場合では、キャリア周波数１０６は、１３．５６メガヘルツ（ＭＨｚ）であり得る。
【００３１】
[0042]ＮＦＣ動作では、リモートデバイスは、ＲＦ場を受信し得る。リモートデバイスは、連続波の上で変調を行うことによって応答し得る。ＮＦＣデバイス１０２は、変調された信号を受信し得、それを復号することを試み得る。
【００３２】
[0043]信頼できる通信リンクを確立するために、ＮＦＣデバイス１０２は、指定された公差以内の様々なメトリック（metrics）を維持するべきである。１つの重要なメトリックは、ＮＦＣデバイス１０２の共振周波数である。ある種のＮＦＣカードエミュレーションソリューションでは、様々なリーダとの相互運用性テスト（ＩＯＴ）を改善するために、ＮＦＣデバイス１０２の全域で正確な共振周波数（Ｆｒｅｓ）を維持することが重要である。
【００３３】
[0044]しかしながら、実際の共振周波数（Ｆｒｅｓ）は、目標とする／設計された周波数とは著しく異なる可能性がある。これは、複数のＮＦＣデバイス１０２の間の整合ネットワーク１１８コンポーネントおよびアンテナ１２４のインダクタンス公差に起因し得る。ＮＦＣデバイス１０２の製造中に整合ネットワーク１１８およびアンテナ１２４のインダクタンス公差は、共振周波数の変動という結果になり得る。また、共振周波数の変動は、ＮＦＣデバイス１０２がユーザに販売された後に起こり得る。例えば、ＮＦＣデバイス１０２の裏蓋は、ＮＦＣアンテナ１２４を含み得る。裏蓋が破損して、交換が必要な場合には、新しいアンテナ１２４のインダクタンスが大幅に変化し得る。これは、意図した性能における低下という結果になり得る。
【００３４】
[0045]同様に、ＮＦＣアンテナ１２４が変更されたバッテリ１４５の上にある場合、新しいアンテナのインダクタンスが共振周波数を大幅に変える可能性があり、意図した性能における劣化という結果になり得る。いくつかの構成では、ＮＦＣデバイス１０２は、バッテリ１４５のホットスワップをサポートし得、それは、新しいアンテナ１２４のインダクタンスとＮＦＣデバイス１０２の変化した共振周波数という結果になり得る。
【００３５】
[0046]アンテナ１２４は、バッテリ１４５から分離されているものとして図１に示されているが、アンテナ１２４およびバッテリ１４５は、同じ物理構造上にあり得ることに留意されたい。例えば、アンテナ１２４は、バッテリ１４５に取り付けられ得る。
【００３６】
[0047]そのうえ、バッテリ１４５とアンテナ１２４との間のエアギャップに影響を及ぼすＮＦＣデバイス１０２における他の機械的変動は、意図された共振周波数と実際の共振周波数の大幅な逸脱と言う結果になり得る。他のメトリックは、ＮＦＣデバイス１０２の変化によって同様に影響が及ばされ得る。
【００３７】
[0048]一手法では、共振周波数および他のメトリックは、ネットワークアナライザなどの計器および試験設備を使用して較正されることが可能である。しかしながら、この手法は、高価な可能性があり、較正時間を潜在的に増加させ得る。さらに、ＮＦＣデバイス１０２がエンドユーザに販売された後、これらのテスタにアクセスすることはとてもありそうに無い。
【００３８】
[0049]共振周波数とは別に、最良の性能のために、ＮＦＣデバイス１０２ごとに他のメトリックを最適化する必要がある。工場で製造された各ＮＦＣデバイス１０２が、タイプ承認のために、キャリアリーダの相互運用性テスト（ＩＯＴｓ）に加えて、ＮＦＣフォーラム、ＥＭＶＣｏ、ＩＳＯおよび他のコンプライアンス要件を満たすことが可能な高い信頼レベルが必要である。これは、現場において動かなくなったバッテリ１４５および壊れた裏蓋を取り替えた後にも当てはまる。
【００３９】
[0050]高い信頼性は、重要なイニシエータおよびターゲット受信（ＲＸ）および送信（ＴＸ）メトリックを較正することにより得られることが可能である。これらの較正されたメトリックの１つは、自動利得制御（ＡＧＣ）閾値１３２を含み得る。他の較正されたメトリックは、ターゲット送信（ＴＴＸ）負荷変調振幅のような負荷変調メトリック１３４を含み得る。さらに、他の較正されたメトリックは、能動負荷変調（ＡＬＭ）または受動負荷変調（ＰＬＭ）電力制御のような負荷変調電力制御パラメータ１３６を含み得る。モデム取得閾値１３８のようなターゲット受信（ＴＲＸ）およびイニシエータ受信（ＩＲＸ）モデムメトリックも較正され得る。受信機感度１４０と、利得レベル１４２と、減衰レベル１４４とを含む様々な他のメトリックも較正され得る。
【００４０】
[0051]製造中の公差が厳しくても、共振周波数および他のメトリックは大幅に変わり得る。例えば、整合ネットワーク１１８コンポーネント（＋／−２％）および厳しいアンテナインダクタンス公差（＋／−１．５％）がより厳しい場合であっても、共振周波数が大幅に変わる可能性がある（例えば、＋／−３５０ｋＨｚから＋／−４００ｋＨｚ）。さらに、ＮＦＣデバイス１０２がユーザに販売された後の変化（例えば、機械的または電気的）は、ＮＦＣ性能を低下させ得る。上記の問題は、あらゆる外部のテスタまたは設備なしで自己較正をする必要性を強調している。したがって、共振周波数の変動および他のメトリックを指定された公差以内に低減するために、自己較正を有することは有益である。
【００４１】
[0052]ＮＦＣデバイス１０２は、誘導性に結合される通信のために１つまたは複数のメトリックを較正し得る。一手法では、ＮＦＣデバイス１０２は、送信機１０４から受信機１１０に信号をループバックすることによって、共振周波数および他のメトリックを較正し得る。この手法は、ループバック法と呼ばれ得る。
【００４２】
[0053]構成では、ＮＦＣデバイス１０２は、自己較正を行なう較正モジュール１２６を含み得る。較正モジュール１２６は、ソフトウェア（例えば、メモリに記憶された実行可能な命令）、ハードウェア（例えば、電子回路）、またはソフトウェアおよびハードウェアの組み合わせで実施され得る。一例では、較正モジュール１２６は、ＮＦＣデバイス１０２のプロセッサによって実行されるコードとして実施され得る。
【００４３】
[0054]ＮＦＣデバイス１０２のアンテナ回路は、アンテナ１２４と、整合ネットワーク１１８とを含み得る。アンテナ１２４および整合ネットワーク１１８は、回路の共振周波数で発振する共振体として作動する共振回路（タンク回路とも呼ばれる）を形成し得る。
【００４４】
[0055]整合ネットワーク１１８は、調整可能インピーダンスコンポーネント１２０を含み得る。アンテナ回路の共振は、整合ネットワーク１１８のインピーダンス１２２を変更することによって調整され得る。一構成では、調整可能インピーダンスコンポーネント１２０は、１つまたは複数のキャパシタが増やされまたは減らされ得るキャパシタバンクであり得る。別の構成では、調整可能インピーダンスコンポーネント１２０は、１つまたは複数の調整可能な（または切り替え可能な）キャパシタを含み得る。キャパシタ構成を変更することによって、整合ネットワーク１１８のインピーダンス１２２（そしてしたがって共振）は、調整され得る。整合ネットワーク１１８の共振が調整されると、ソリューション全体（例えば、整合ネットワーク１１８およびアンテナ１２４）の共振周波数が調整される。
【００４５】
[0056]較正モジュール１２６は、１つまたは複数の共振周波数を較正するために共振周波数較正モジュール１２８を含み得る。共振周波数較正モジュール１２８は、キャリア周波数１０６のキャリア信号１０８をアンテナ回路に適用するように送信機１０４に指示し得る。キャリア信号１０８のキャリア周波数１０６は、１３．５６メガヘルツ（ＭＨｚ）であり得る。言い換えると、キャリア周波数１０６は、ＮＦＣに使用される標準周波数であり得る。
【００４６】
[0057]共振周波数較正モジュール１２８は、共振周波数の範囲にわたって、整合ネットワーク１１８を掃引（sweep）し得る。一構成では、共振周波数較正モジュール１２８は、インピーダンス値の範囲にわたって整合ネットワーク１１８のインピーダンス１２２を調整し得る。例えば、共振周波数較正モジュール１２８は、整合ネットワーク１１８に異なるインピーダンスを作り出すために、調整可能インピーダンスコンポーネント１２０を調整し得る。上述のように、整合ネットワーク１１８のインピーダンス１２２を変更することによって、アンテナ回路の共振は調整され得る。一実施形態では、これは、一組の異なるインピーダンスを作り出すために、整合ネットワーク１１８内の１つまたは複数のキャパシタを調整することを含み得る。
【００４７】
[0058]キャリア信号１０８は、整合ネットワーク１１８およびアンテナ１２４を送信機１０４と共有する受信機１１０にループバックされ得る。整合ネットワーク１１８を介した送信機１０４から受信機１１０への経路は、ループバック経路と呼ばれ得る。したがって、ループバック信号１１６は、アンテナ回路に結合された受信機１１０によって受信されたキャリア信号１０８であり得る。
【００４８】
[0059]受信機１１０内のＤＣ推定ブロック１１２は、インピーダンス値の範囲にわたってループバック信号１１６を測定し得る。ＤＣ推定ブロック１１２は、受信機１１０にループバックされたキャリア信号１０８に比例するＤＣレベル１１４を生成し得る。言い換えると、ＤＣ推定ブロック１１２は、ループバック信号１１６に比例するＤＣレベル１１４を測定し得る。
【００４９】
[0060]ＤＣ推定ブロック１１２は、共振調整中に、受信機１１０のＤＣレベル１１４を推定し得る。したがって、ＤＣレベル１１４は、インピーダンス値の範囲にわたって調整された整合ネットワーク１１８のインピーダンス１２２として測定され得る。
【００５０】
[0061]共振周波数較正モジュール１２８は、キャリア周波数１０６でアンテナ回路内の共振を作り出す整合ネットワーク１１８の較正インピーダンス１３０を決定し得る。これは、ループバック信号１１６のＤＣレベル１１４測定に基づき得る。
【００５１】
[0062]一実施形態では、共振周波数較正モジュール１２８は、ループバック信号１１６内でピークを作り出すインピーダンス値の範囲内のインピーダンス１２２の値を決定し得る。言い換えると、最大のＤＣレベル１１４応答をもたらすインピーダンス１２２は、キャリア周波数１０６でアンテナ回路内の共振を達成したインピーダンス１２２に等しい。このインピーダンス１２２の値は、整合ネットワーク１１８に対する較正インピーダンス１３０となり得る。このようにして、アンテナ回路は、キャリア周波数１０６で共振するように較正され得る。
【００５２】
[0063]ループバック方法は、他の重要なメトリックを較正および最適化するために使用されることも可能である。これは、コンプライアンスパスレートマージンおよびリーダＩＯＴを増大し得、裏蓋およびバッテリ１４５の交換後の性能（ホットスワップバッテリ１４５の交換を含む）を維持し得る。
【００５３】
[0064]ＮＦＣデバイス１０２は、異なる利得状態についての自動利得制御（ＡＧＣ）閾値１３２を較正し得る。これらのＡＧＣ閾値１３２は、ターゲット受信機（ＴＲＸ）動作およびイニシエータ受信機（ＩＲＸ）動作についてのＡＧＣ閾値１３２を含み得る。較正前に、ＡＧＣ閾値１３２は、様々な利得状態に関連する「ゴールデン」値で事前に構成され得る。動作中に、キャリア信号１０８を受信すると、ＮＦＣデバイス１０２は、受信したキャリア信号１０８についてのＤＣレベル１１４を決定し得る。ＤＣレベル１１４をＡＧＣ閾値１３２と比較することによって、ＮＦＣデバイス１０２は、受信機１１０についての利得状態を決定し得る。
【００５４】
[0065]新しいアンテナ１２４設計に対する結合係数（ｋファクタ）が大幅に変わる可能性があるので、ＡＧＣがどの利得状態に入るかを決定するＤＣレベル１１４も同様に変わる可能性がある。したがって、ＮＦＣデバイス１０２は、アンテナ１２４の結合係数に影響を及ぼし得るよりも、アンテナ１２４の変化またはＮＦＣデバイス１０２の他の変化を補償するために、正しい利得状態と共に新しいＤＣレベル１１４をマッピングし得る。
【００５５】
[0066]較正モジュール１２６は、ループバック信号１１６に基づいて、特定の利得状態についてのＡＧＣ閾値１３２を較正し得る。較正モジュール１２６は、利得状態に対応するキャリアレベルと共にキャリア信号１０８を生成するように送信機１０４に指示し得る。送信機１０４は、イニシエータ送信機（ＩＴＸ）として動作し得る。この場合、キャリア信号１０８は、利得状態に関連付けられた既知のキャリア強度を有し得る。
【００５６】
[0067]キャリア信号１０８は、受信機１１０にループバックされ得る。ＡＧＣ閾値１３３２の較正では、受信機１１０は、ターゲット受信機（ＴＲＸ）として動作し得る。受信機１１０内のＤＣ推定ブロック１１２は、ＤＣレベル１１４を生成することによって、ループバック信号１１６を測定し得る。このＤＣレベル１１４は、受信機１１０によって受信されたようなキャリア強度の推定値であり得る。
【００５７】
[0068]較正モジュール１２６は、測定されたループバック信号１１６に従った利得状態についてのＡＧＣ閾値１３２を調整し得る。較正モジュール１２６は、以前に特徴付けられたゴールデンＡＧＣ閾値から利得状態についてのＡＧＣ閾値１３２を調整し得る。
【００５８】
[0069]較正モジュール１２６は、各利得状態についての異なるＡＧＣ閾値１３２を較正し得る。このようにして、較正モジュール１２６は、正しい利得状態と共に新しいＤＣレベル１１４をマッピングし得る。さらに、新しいアンテナ１２４設計についてのＡＧＣ閾値１３２は、ＮＦＣデバイス１０２単位基準で較正されることが可能である。
【００５９】
[0070]較正モジュール１２６は、１つまたは複数の負荷変調メトリック１３４も較正し得る。これらの負荷変調メトリック１３４は、ターゲット送信（ＴＴＸ）の受動負荷変調振幅と、波形時間と、忠実度とのうち少なくとも１つを含み得る。波形タイミングは、立ち上がり時間と、立ち下がり時間と、オーバーシュートと、アンダーシュートとを含み得る。忠実度は、信号の歪みを含み得る。
【００６０】
[0071]負荷変調メトリック１３４を較正するために、較正モジュール１２６は、ＡＧＣ閾値１３２の較正と同様の手順を実施し得る。しかしながら、負荷変調メトリック１３４の較正のために、送信機１０４は、キャリア信号１０８を生成し得、その次にそのキャリア信号１０８を負荷変調し得る。したがって、送信機１０４は、イニシエータ送信機（ＩＴＸ）およびターゲット送信機（ＴＴＸ）の両方として動作し得、受信機１１０は、ターゲット受信機（ＴＲＸ）として動作し得る。
【００６１】
[0072]負荷変調メトリック１３４の較正の一手法では、較正モジュール１２６は、キャリア周波数１０６と共にキャリア信号１０８を生成することを送信機１０４に命令し得る。キャリア信号１０８は、受信機１１０にループバックされ得る。受信機１１０内のＤＣ推定ブロック１１２は、ＤＣレベル１１４を生成することによって、ループバック信号１１６を測定し得る。
【００６２】
[0073]較正モジュール１２６は、受動または能動負荷変調で行われるように、キャリア信号１０８を負荷変調することを送信機１０４に命令し得る。測定されたループバック信号１１６のＤＣレベル１１４を使用して、較正モジュール１２６は、１つまたは複数の負荷変調メトリック１３４を調整し得る。例えば、較正モジュール１２６は、所望のレベルと、負荷変調されたキャリア信号１０８の振幅、立ち上がり時間、立ち下がり時間、オーバーシュート、アンダーシュート、および歪みとを比較し得る。それから、較正モジュール１２６は、所望のレベル以内になるように、１つまたは複数のこれら負荷変調メトリック１３４を増加または減少し得る。
【００６３】
[0074]較正モジュール１２６は、ループバック信号１１６に基づいて、１つまたは複数の負荷変調電力制御パラメータ１３６も較正し得る。負荷変調メトリック１３４の較正と同じ様に、較正モジュール１２６は、ループバック法を使用して、受動負荷変調（ＰＬＭ）および能動負荷変調（ＡＬＭ）についての各電力状態を較正し得る。
【００６４】
[0075]較正モジュール１２６は、１つまたは複数のモデムメトリックも較正し得る。これらのモデムメトリックは、モデム取得閾値１３８を含み得る。一構成では、モデム取得閾値１３８は、イニシエータ受信機（ＩＲＸ）動作中に使用され得る。
【００６５】
[0076]モデム取得閾値１３８を構成するための一手法では、較正モジュール１２６は、既知の特性と共にポーリング信号を生成することを送信機１０４に命令し得る。ポーリング信号は、既知および事前に特徴付けられたＩＴＸポーリング信号であり得る。ポーリング信号は、受信機１１０にループバックされ得、それは、イニシエータ受信機（ＩＲＸ）として動作し得る。ＤＣ推定ブロック１１２は、ループバック信号１１６のＤＣレベル１１４を決定することによって、ループバック信号１１６を測定し得る。較正モジュール１２６は、ループバック信号１１６のＤＣレベル１１４に従って、モデム取得閾値１３８を調整し得る。例えば、較正モジュール１２６は、ポーリング信号の既知の特徴に関連するモデム取得閾値１３８にＤＣレベル１１４をマッピングし得る。様々なポーリング信号レベルについてのモデム取得閾値１３８は、このループバック法を使用して較正および最適化され得る。
【００６６】
[0077]追加のパラメータは、本明細書で説明されるループバック法を使用して較正され得る。例えば、較正モジュール１２６は、ループバック法を使用して、受信機感度１４０（例えば、ＴＲＸおよびＩＲＸ感度）、利得レベル１４２および減衰レベル１４４を較正し得る。
【００６７】
[0078]ＮＦＣ自己較正は、ＮＦＣデバイス１０２の起動時に、または一定の時間間隔で、または温度および電圧の変動後に自動的に動くことが可能である。そのうえＮＦＣ自己較正は、移動通信事業者による遠隔からなどのユーザコマンド、またはＮＦＣデバイス１０２にインストールされたアプリケーションによって行われ得る。例えば、ＮＦＣデバイス１０２のバッテリ１４５が消耗し、ユーザがそれを交換する必要がある場合、新しいアンテナ１２４を較正することをＮＦＣ自己較正にできるようにするアプリケーションがＮＦＣデバイス１０２上に存在し得る。別の実施形態では、ユーザは、裏蓋またはバッテリ１４５の交換後のＮＦＣ性能の低下のために、通信事業者に接触し得る。それから、移動通信事業者は、ＮＦＣ自己較正を遠隔的に使用可能にし得る。さらに別の実施形態では、ＮＦＣ自己較正は、ＮＦＣデバイス１０２の製造中に工場で行われ得る。
【００６８】
[0079]記載されたシステムおよび方法の利点は、ＮＦＣデバイス１０２間のよりロバストな通信を含む。これは、リンクの失敗を回避することによって、ユーザエクスペリエンスの改善および電力消費の低減という結果になり得る。
【００６９】
[0080]図２は、共振周波数を較正するための方法２００を示すフロー図である。方法２００は、ＮＦＣデバイス１０２によって行われ得る。ＮＦＣデバイス１０２は、キャリア周波数１０６のキャリア信号１０８をアンテナ回路に適用２０２し得る。例えば、イニシエータ送信機（ＩＴＸ）として動作する送信機１０４は、アンテナ回路に結合され得る。送信機１０４は、キャリア信号１０８を生成し得る。キャリア信号１０８のキャリア周波数１０６は、１３．５６メガヘルツ（Ｍｈｚ）であり得る。アンテナ回路は、共振周波数で共振する整合ネットワーク１１８とアンテナ回路とを含み得る。
【００７０】
[0081]ＮＦＣデバイス１０２は、インピーダンス値の範囲にわたって整合ネットワーク１１８のインピーダンス１２２を調節２０４し得る。例えば、ＮＦＣデバイス１０２は、一組の異なるインピーダンスを作り出すために、整合ネットワーク１１８内の１つまたは複数のキャパシタを調整し得る。
【００７１】
[0082]ＮＦＣデバイス１０２は、インピーダンス値の範囲にわたってループバック信号１１６を測定２０６し得る。ループバック信号１１６は、アンテナ回路に結合された受信機１１０によって受信されたキャリア信号１０８であり得る。受信機１１０は、イニシエータ受信機（ＩＲＸ）として動作し得る。キャリア信号１０８は、整合ネットワーク１１８およびアンテナ１２４を送信機１０４と共有する受信機１１０にループバックされ得る。
【００７２】
[0083]ＮＦＣデバイス１０２は、ループバック信号１１６に比例するＤＣレベル１１４を測定し得る。ＮＦＣデバイス１０２は、共振調整中に受信機１１０のＤＣレベル１１４を推定し得る。
【００７３】
[0084]ＮＦＣデバイス１０２は、キャリア周波数１０６でアンテナ回路内に共振を作り出す整合ネットワーク１１８の較正インピーダンス１３０を決定２０８し得る。これは、ループバック信号１１６のＤＣレベル１１４測定に基づき得る。
【００７４】
[0085]一実施形態では、ＮＦＣデバイス１０２は、ループバック信号１１６にピークを作り出すインピーダンス値が適用された範囲内のインピーダンス１２２の値を決定し得る。言い換えると、最大のＤＣレベル１１４応答をもたらすインピーダンス１２２は、キャリア周波数でアンテナ回路内の共振を達成したインピーダンス１２２に等しい。このインピーダンス１２２の値は、整合ネットワーク１１８についての較正インピーダンス１３０として設定され得る。
【００７５】
[0086]図３は、共振周波数の自己較正のために構成されたＮＦＣデバイス３０２の一構成を例示するブロック図である。ＮＦＣデバイス３０２は、ＮＦＣプロトコルを使用して通信する無線通信デバイスであり得る。
【００７６】
[0087]ＮＦＣデバイス３０２は、アンテナ回路に結合された受信機３１０および送信機３０４を含み得る。ＮＦＣデバイス３０２のアンテナ回路は、アンテナ３２４と、整合ネットワーク３１８とを含み得る。整合ネットワーク３１８は、調整可能インピーダンスコンポーネント３２０を含み得る。
【００７７】
[0088]アンテナ回路の共振は、整合ネットワーク３１８のインピーダンス３２２を変化させることによって調整され得る。一構成では、調整可能インピーダンスコンポーネント３２０は、１つまたは複数のキャパシタが増やされまたは減らされ得るキャパシタバンクであり得る。別の構成では、調整可能インピーダンスコンポーネント３２０は、１つまたは複数の調整可能な（または切り替え可能な）キャパシタを含み得る。
【００７８】
[0089]構成では、ＮＦＣデバイス３０２は、１つまたは複数の共振周波数を較正するために、共振周波数較正モジュール３２８を含み得る。共振周波数較正モジュール３２８は、キャリア周波数３０６のキャリア信号３０８をアンテナ回路に適用するように送信機３０４に命令し得る。キャリア信号３０８のキャリア周波数３０６は、１３．５６メガヘルツ（Ｍｈｚ）であり得る。
【００７９】
[0090]共振周波数較正モジュール３２８は、インピーダンス値の範囲３４６にわたって整合ネットワーク３１８のインピーダンス３２２を調整し得る。インピーダンス値の範囲３４６は、整合ネットワーク３１８内の異なるインピーダンス３２２を作り出す様々なインピーダンス構成３５３を含み得る。共振周波数較正モジュール３２８は、整合ネットワーク３１８内の異なるインピーダンス３２２を作り出すために、異なるインピーダンス構成３５３を適用することを調整可能インピーダンスコンポーネント３２０に命令し得る。例えば、調整可能インピーダンスコンポーネント３２０は、インピーダンス構成３５３に基づいて、１つまたは複数のキャパシタを調整し得る。
【００８０】
[0091]インピーダンス構成３５３は、アンテナ回路内に所与のインピーダンス３２２を作り出す整合ネットワーク３１８内の１つまたは複数のキャパシタに適用される一組の容量値であり得る。ある手法では、インピーダンス構成３５３は、キャップコードとして実施され得る。キャップコードは、キャパシタの特定の構成を適用することを整合ネットワーク３１８に命令し得る。一実施形態では、キャップコードは、オンチップキャパシタバンク内の容量値にマッピングするレジスタバイト内のビットの組である。
【００８１】
[0092]各キャップコードは、整合ネットワーク３１８の異なるインピーダンスを作り出し得る。例えば、外部タンク回路（例えば、整合ネットワーク３１８およびアンテナ３２４）を同調するために利用可能な内部静電容量の３２値（例えば、００ｈから１Ｆｈ）が存在し得る。受信機３１０は、送信機３０４と同じ整合ネットワーク３１８およびアンテナ３２４を使用するので、キャップコードに対する全体のソリューションの周波数応答が入手されることが可能である。
【００８２】
[0093]キャリア周波数３０８は、整合ネットワーク３１８およびアンテナ３２４を送信機３０４と共有する受信機３１０にループバックされ得る。受信機３１０内のＤＣ推定ブロック３１２は、インピーダンス値の範囲３４６にわたってループバック信号３１６を測定し得る。
【００８３】
[0094]ＤＣ推定ブロック３１２は、共振調整中に受信機３１０のＤＣレベル３１４を推定し得る。ＤＣレベル３１４は、インピーダンス値の範囲３４６にわたって調整された整合ネットワーク３１８のインピーダンス３２２として測定され得る。
【００８４】
[0095]共振周波数較正モジュール３２８は、キャリア周波数３０６でアンテナ回路内の共振を作り出す整合ネットワーク３１８の較正インピーダンス３３０を決定し得る。共振周波数較正モジュール３２８は、ループバック信号３１６のピークを作り出すインピーダンス値の範囲３４６内でインピーダンス構成３５３を決定し得る。例えば、共振周波数較正モジュール３２８は、どのキャップコードが最大のＤＣレベル３１４応答をもたらすかを決定し得る。このキャップコードは、整合ネットワーク３１８についての較正インピーダンス３３０（較正キャップコードとも呼ばれる）であり得る。このようにして、アンテナ回路は、キャリア周波数３０６で共振するように較正され得る。
【００８５】
[0096]ＮＦＣデバイス３０２は、異なるキャリア周波数３０６を使用するモードについての他の共振周波数を較正するために、較正インピーダンス３３０も使用し得る。一構成では、共振周波数較正モジュール３２８は、整合ネットワーク３１８のデフォルトのインピーダンス３４８と較正インピーダンス３３０との間の差分としてインピーダンスオフセット３５０を決定し得る。デフォルトのインピーダンス３４８は、キャリア周波数３０６に関連付けられ事前に構成された整合ネットワーク３１８のインピーダンス３２２であり得る。例えば、デフォルトのインピーダンス３４８は、デフォルトのインピーダンス構成３５３によって作り出され得る。較正インピーダンス３３０を決定すると、共振周波数較正モジュール３２８は、インピーダンスオフセット３５０を得るために、初期のデフォルトのインピーダンス３４８から較正インピーダンス３３０を差し引き得る。
【００８６】
[0097]共振周波数較正モジュール３２８は、異なるキャリア周波数３０６を使用する送信または受信動作のために、整合ネットワーク３１８にインピーダンスオフセット３５０を適用し得る。したがって、異なる共振を使用する他の送信および受信モードに対して、共振周波数較正モジュール３２８は、インピーダンスオフセット３５０によってこれらのモードについてのインピーダンス３２２を調整し得る。
【００８７】
[0098]キャップコード手法では、共振周波数較正モジュール３２８は、キャリア周波数３０６についてのデフォルトキャップコードと較正キャップコードとの間の差分としてキャップコードオフセットを決定し得る。デフォルトキャップコードから較正キャップコードへのオフセットは、キャップコードオフセットである。この手法では、キャップコードオフセットは、異なる共振を使用する他のモードについての全ての他のキャップコードに直ちに適用されることが可能である。
【００８８】
[0099]別の実施形態では、ＮＦＣデバイス３０２は、同調範囲３５１にわたって共振周波数を較正し得る。インピーダンス３２２の値（例えば、キャップコード値）が、インピーダンス値の範囲３４６の下端および上端に近づくと、共振周波数エラーが増加する可能性がある。完全な同調範囲３５１にわたって共振周波数エラーを低減するために、キャリア信号３０８は、全体の同調範囲３５１をカバーするように掃引されることが可能である。例えば、１２ＭＨｚから１６ＭＨｚ（またはさらに広い範囲）の様々なキャリア周波数３０６は、整合ネットワーク３１８の範囲によってサポートされ得る。複数の較正インピーダンス３３０は、同調範囲３５１内の複数のキャリア周波数３０６にマッピングされ得る。同調範囲３５１にわたって複数の共振周波数を較正することは、図５に関係してより詳細に説明される。
【００８９】
[00100]図４は、共振周波数を較正するための方法４００の詳細な構成を示すフロー図である。方法４００は、ＮＦＣデバイス３０２によって行なわれ得る。ＮＦＣデバイス３０２は、キャリア周波数３０６のキャリア信号３０８をアンテナ回路に適用４０２し得る。例えば、イニシエータ送信機（ＩＴＸ）として動作する送信機３０４は、キャリア信号３０８を生成し得る。キャリア信号３０８のキャリア周波数３０６は、１３．５６メガヘルツ（ＭＨｚ）であり得る。
【００９０】
[00101]ＮＦＣデバイス３０２は、第１のインピーダンス構成３５３を適用４０４し得る。ＮＦＣデバイス３０２は、インピーダンス値の範囲３４６にわたって整合ネットワーク３１８のインピーダンス３２２を調整し得る。インピーダンス値の範囲３４６は、整合ネットワーク３１８内の異なるインピーダンス３２２を作り出す様々なインピーダンス構成３５３を含み得る。調整可能インピーダンスコンポーネント３２０は、整合ネットワーク３１８内の第１のインピーダンス３２２を作り出すために、第１のインピーダンス構成３５３を適用し得る。
【００９１】
[00102]ＮＦＣデバイス３０２は、ループバック信号３１６を測定４０６し得る。キャリア信号３０８は、整合ネットワーク３１８およびアンテナ３２４を送信機３０４と共有する受信機３１０にループバックされ得る。受信機３１０内のＤＣ推定ブロック３１２は、インピーダンス値の範囲３４６にわたってループバック信号３１６を測定し得る。ループバック信号３１６のＤＣレベル３１４は、記憶され得る。
【００９２】
[00103]ＮＦＣデバイス３０２は、インピーダンス値の範囲３４６内で後続のインピーダンス構成３５３が存在するかどうかを決定４０８し得る。追加のインピーダンス構成３５３が存在する場合、その後にＮＦＣデバイス３０２は、次のインピーダンス構成３５３を適用４１０し得る。調整可能インピーダンスコンポーネント３２０は、整合ネットワーク３１８内に別のインピーダンス３２２を作り出すために、次のインピーダンス構成３５３を適用し得る。ＮＦＣデバイス３０２は、現在のインピーダンス構成３５３に対応するループバック信号３１６を測定４０６し得る。ＮＦＣデバイス３０２は、インピーダンス値３５６の範囲内でそれ以上のインピーダンス構成３５３が存在しないことをＮＦＣデバイス３０２が決定４０８するまで、インピーダンス値の範囲３４６内で異なるインピーダンス構成３５３を適用および測定することを続け得る。
【００９３】
[00104]ＮＦＣデバイス３０２は、ループバック信号３１６のピークを作り出すインピーダンス構成３５３として較正インピーダンス３３０を設定４１２し得る。最大のＤＣレベル３１４応答をもたらすインピーダンス構成３５３は、キャリア周波数３０６でアンテナ回路内の共振を達成したインピーダンス３２２に等しい。このインピーダンス構成３５３は、整合ネットワーク３１８についての較正インピーダンス３３０として設定４１２され得る。このようにして、アンテナ回路は、キャリア周波数３０６で共振するように較正され得る。
【００９４】
[00105]ＮＦＣデバイス１０２は、インピーダンスオフセット３５０を決定４１４し得る。インピーダンスオフセット３５０は、整合ネットワーク３１８のデフォルトのインピーダンス３４８と較正インピーダンス３３０との間の差分であり得る。デフォルトのインピーダンス３４８は、キャリア周波数１０６に関連付けられ事前に構成された整合ネットワーク３１８のインピーダンス３２２であり得る。較正インピーダンス３３０を決定すると、ＮＦＣデバイス３０２は、インピーダンスオフセット３５０を得るために、初期のデフォルトのインピーダンス３４８から較正インピーダンス３３０を差し引き得る。
【００９５】
[00106]ＮＦＣデバイス３０２は、較正インピーダンスの異なるキャリア周波数３０６を設定するために使用されるキャリア周波数３０６と異なる第２のキャリア周波数３０６を使用する動作（例えば、送信または受信動作）のために、整合ネットワーク３１８にインピーダンスオフセット３５０を適用４１６し得る。例えば、ＮＦＣデバイス３０２は、異なる共振を使用する送信および受信モードについてのインピーダンスオフセット３５０によってインピーダンス３２２を調整し得る。したがって、１３．５６ＭＨｚ以外のキャリア周波数３０６を使用するモードに対して、ＮＦＣデバイス３０２は、インピーダンスオフセット３５０によってこれらのモードについてのインピーダンス３２２を調整し得る。一実施形態では、ＮＦＣデバイス３０２は、同調範囲３５１内の複数のキャリア周波数３０６にインピーダンスオフセット３５０を適用し得る。
【００９６】
[00107]図５は、同調範囲３５１にわたって複数の共振周波数を較正するための方法５００を示すフロー図である。方法５００は、ＮＦＣデバイス３０２によって行われ得る。図４で説明されているように、一手法では、ＮＦＣデバイス３０２は、同調範囲３５１内の複数のキャリア周波数３０６にインピーダンスオフセット３５０を適用し得る。例えば、１２ＭＨｚから１６ＭＨｚ（またはさらに広い範囲）の様々なキャリア周波数３０６は、整合ネットワーク３１８の範囲によってサポートされ得る。
【００９７】
[00108]インピーダンスオフセット３５０は、同調範囲３５１の中心のキャリア周波数３０６に基づき得る。しかしながら、単一のインピーダンスオフセット３５０を適用することによって、共振周波数エラーは、キャリア周波数３０６が同調範囲３５１の下端および上端に近づくにつれて増加する可能性がある。
【００９８】
[00109]完全な同調範囲３５１にわたって共振周波数エラーを低減するために、キャリア信号３０８は、全体の同調範囲３５１をカバーするように掃引されることが可能である。ＮＦＣデバイス３０２は、同調範囲３５１内の第１のキャリア周波数３０６でキャリア信号３０８を適用し得る。例えば、イニシエータ送信機（ＩＴＸ）として動作する送信機３０４は、１２ＭＨｚのキャリア信号３０８を生成し得る。
【００９９】
[00110]ＮＦＣデバイス３０２は、ループバック法を使用する第１のキャリア周波数３０６についての較正インピーダンス３３０を決定５０４し得る。これは、図４に関係して上述されるように達成され得る。このようにして、ＮＦＣデバイス３０２は、第１のキャリア周波数３０６についての共振周波数を較正し得る。ＮＦＣデバイス３０２は、第１のキャリア周波数３０６に較正インピーダンス３３０をマッピング５０６し得る。
【０１００】
[00111]ＮＦＣデバイス３０２は、同調範囲３５１内に較正されるべき次のキャリア周波数３０６が存在するかどうかを決定５０８し得る。実施形態では、同調範囲３５１は、複数のキャリア周波数３０６を含み得る。キャリア周波数３０６は、同調範囲３５１内で等しい増分で分配され得る。
【０１０１】
[00112]較正されるべき追加のキャリア周波数３０６が存在する場合、ＮＦＣデバイス３０２は、同調範囲３５１内の次のキャリア周波数３０６でキャリア信号３０８を適用５１０し得る。それから、ＮＦＣデバイス３０２は、適用されたキャリア周波数３０６についての較正インピーダンス３３０を決定５０４し得、適用されたキャリア周波数３０６に較正インピーダンス３３０をマッピング５０６し得る。この手順は、同調範囲３５１内の全てのキャリア周波数３０６に対して繰り返され得る。
【０１０２】
[00113]較正すべきそれ以上のキャリア周波数３０６が存在しないと決定５０８すると、ＮＦＣデバイス３０２は、動作中にマッピングされた較正インピーダンス３３０を適用５１２し得る。したがって、ＮＦＣデバイス３０２は、１つのキャリア周波数３０６を使用する送信または受信モードに対して較正インピーダンス３３０を適用５１２し得、別のキャリア周波数３０６を使用する送信または受信モードに対して別の較正インピーダンス３３０に切り替え得る。
【０１０３】
[00114]図６は、１つまたは複数の自動利得制御（ＡＧＣ）閾値１３２を較正するための方法６００を示すフロー図である。ＡＧＣ閾値１３２は、受信機１１０についての１つまたは複数の利得状態を関連付け得る。これらのＡＧＣ閾値１３２は、ターゲット送信機（ＴＲＸ）動作およびイニシエータ受信機（ＩＲＸ）動作についてのＡＧＣ閾値を含み得る。
【０１０４】
[00115]ＮＦＣデバイス１０２は、第１の利得状態に対応するキャリアレベルと共にキャリア信号１０８を生成し生成６０２し得る。送信機１０４は、イニシエータ送信機（ＩＴＸ）として動作し得る。送信機１０４は、アンテナ１２４および整合ネットワーク１１８を含むアンテナ回路に結合され得る。この場合、キャリア信号１０８は、第１の利得状態に関連付けられた既知のキャリア強度を有し得る。
【０１０５】
[00116]ＮＦＣデバイス１０２は、アンテナ回路に結合された受信機１１０によって受信されたループバック信号１１６を測定６０４し得る。受信機１１０内のＤＣ推定ブロック１１２は、ＤＣレベル１１４を生成することによって、ループバック信号１１６を測定し得る。このＤＣレベル１１４は、受信機１１０によって受信されたキャリア強度の推定値であり得る。
【０１０６】
[00117]ＮＦＣデバイス１０２は、測定されたループバック信号１１６に従った第１の利得状態についてのＡＧＣ閾値１３２を調整６０６し得る。ＮＦＣデバイス１０２は、第１の利得状態に関連付けられ、以前に特徴付けられたゴールデンＡＧＣ閾値から利得状態についてのＡＧＣ閾値１３２を調整６０６し得る。
【０１０７】
[00118]ＮＦＣデバイス１０２は、第１の利得状態に較正されたＡＧＣ閾値１３２をマッピング６０８し得る。例えば、ＮＦＣデバイス１０２は、第１の利得状態と共に測定されたＤＣレベル１１４をマッピング６０８し得る。
【０１０８】
[00119]ＮＦＣデバイス１０２は、別の利得状態についての別のＡＧＣ閾値１３２を較正するかどうかを決定６１０し得る。較正する追加の利得状態が存在する場合、ＮＦＣデバイス１０２は、次の利得状態に対応するキャリアレベルと共にキャリア信号１０８を生成６１２し得る。それから、ＮＦＣデバイス３０２は、受信機１１０によって受信されたループバック信号１１６を測定６０４し得る。ＮＦＣデバイス３０２は、受信機１１０によって受信されたループバック信号１１６を測定６０４し得る。ＮＦＣデバイス３０２は、測定されたループバック信号１１６に従った現在の利得状態についてのＡＧＣ閾値１３２を調整６０６し得、現在の利得状態に較正されたＡＧＣ閾値１３２をマッピング６０８し得る。この手順は、全ての利得状態に対して繰り返され得る。
【０１０９】
[00120]較正すべきそれ以上の利得状態が存在しないと決定６１０すると、ＮＦＣデバイス３０２は、動作中にマッピングされたＡＧＣ閾値１３２を適用６１４し得る。したがって、ＮＦＣデバイス３０２は、較正されたＡＧＣ閾値１３２に基づいて、動作中に受信機１１０に適用する利得状態を決定し得る。
【０１１０】
[00121]要約すると、方法６００は、利得状態に対応するキャリアレベルと共にキャリア信号を生成することを含み得る。方法６００は、ループバック信号を測定することも含み得、ループバック信号はアンテナ回路に結合された受信機によって受信されたキャリア信号を備える。方法６００は、測定されたループバック信号に従って、利得状態についての自動利得制御（ＡＧＣ）閾値を較正することをさらに含み得る。この方法６００は、利得状態に較正されたＡＧＣ閾値を関連付けることを追加で含み得る。
【０１１１】
[00122]方法６００は、較正されるべき追加の利得状態についての追加のＡＧＣ閾値が存在することを決定することを含み得る。方法６００は、追加の利得状態に対応するキャリアレベルと共にキャリア信号を生成することも含み得る。方法６００は、ループバック信号を測定することをさらに含み得る。方法６００は、測定されたループバック信号に従って、追加の利得状態についての追加のＡＧＣ閾値を較正することを追加で含み得る。方法６００は、追加の利得状態に較正されたＡＧＣ閾値を関連付けることも含み得る。
【０１１２】
[00123]方法６００は、利得状態の関連付けに基づいて、所与のキャリアレベルについての較正されたＡＧＣ閾値を適用することも含み得る。キャリア信号は、アンテナ回路に結合された近距離通信（ＮＦＣ）イニシエータ送信機によって生成され得、キャリア信号はアンテナ回路に結合されたＮＦＣターゲット受信機によって受信される。
【０１１３】
[00124]図７は、負荷変調メトリック１３４を較正するための方法７００を示すフロー図である。負荷変調メトリック１３４は、ターゲット送信（ＴＴＸ）受動負荷変調振幅と、波形時間と、忠実度とのうち少なくとも１つを含み得る。
【０１１４】
[00125]ＮＦＣデバイス１０２は、キャリア周波数１０６のキャリア信号１０８をアンテナ回路に適用７０２し得る。例えば、送信機１０４は、イニシエータ送信機（ＩＴＸ）として動作し得る。送信機１０４は、１３．５６ＭＨｚのキャリア信号１０８を生成し得る。
【０１１５】
[00126]ＮＦＣデバイス１０２は、キャリア信号１０８を負荷変調７０４し得る。例えば、送信機１０４は、ターゲット送信機（ＴＴＸ）として同時に動作し得、生成されたキャリア信号１０８を負荷変調し得る。ＮＦＣデバイス１０２は、受動または能動負荷変調が行われるように、キャリア信号１０８を負荷変調し得る。
【０１１６】
[00127]ＮＦＣデバイス１０２は、負荷変調されたキャリア信号１０８のループバック信号１１６を測定７０６し得る。例えば、ターゲット受信機（ＴＲＸ）として動作する受信機１１０は、負荷変調されたキャリア信号１０８を受信し得る。受信機１１０内のＤＣ推定ブロック１１２は、ＤＣレベル１１４を生成することによってループバック信号１１６を測定し得る。
【０１１７】
[00128]ＮＦＣデバイス１０２は、測定されたループバック信号１１６に従って、負荷変調メトリック１３４を調整７０８し得る。例えば、ＮＦＣデバイス１０２は、所望のレベルと、負荷変調されたキャリア信号１０８の振幅、立ち上がり時間、立ち下がり時間、オーバーシュート、アンダーシュート、および歪みとを比較し得る。それから、ＮＦＣデバイス１０２は、所望のレベル以内になるように、これらの負荷変調メトリック１３４の１つまたは複数を増加または減少し得る。
【０１１８】
[00129]要約すると、方法７００は、アンテナ回路に適用されたキャリア周波数のキャリア信号を生成することを含み得る。方法７００は、キャリア信号を負荷変調することも含み得る。方法７００は、アンテナ回路に結合された受信機によって受信された負荷変調されたキャリア信号のループバック信号を測定することをさらに含み得る。方法７００は、測定されたループバック信号に基づいて、負荷変調メトリックを調整することを追加で含み得る。
【０１１９】
[00130]負荷変調されたキャリア信号のループバック信号を測定することは、ループバック信号のＤＣレベルを決定することを含み得る。ループバック信号に基づいて負荷変調メトリックを調整することは、ループバック信号のＤＣレベルに従って負荷変調メトリックを調整することを含み得る。
【０１２０】
[00131]キャリア信号は、アンテナ回路に結合された近距離通信（ＮＦＣ）イニシエータ送信機によって生成され得る。キャリア信号は、アンテナ回路に結合されたＮＦＣターゲット送信機によって負荷変調され得、キャリア信号はアンテナ回路に結合されたＮＦＣイニシエータ受信機によって受信され得る。
【０１２１】
[00132]負荷変調メトリックは、ターゲット送信（ＴＴＸ）受動負荷変調振幅、波形時間または忠実度のうち少なくとも１つを含み得る。負荷変調メトリックは、ターゲット送信機（ＴＴＸ）受動負荷変調電力制御またはＴＴＸ能動負荷変調電力制御のうち少なくとも１つを含み得る。
【０１２２】
[00133]図８は、モデム取得閾値１３８を較正するための方法８００を示すフロー図である。方法８００は、ＮＦＣデバイス１０２によって実施され得る。一構成では、モデム取得閾値１３８は、イニシエータ受信機（ＩＲＸ）動作中に使用され得る。
【０１２３】
[00134]ＮＦＣデバイス１０２は、既知の特徴と共にポーリング信号を生成８０２し得る。ポーリング信号は、既知および事前に特徴付けられたイニシエータ送信機（ＩＴＸ）ポーリング信号であり得る。送信機１０４は、アンテナ１２４および整合ネットワーク１１８を含むアンテナ回路に結合され得る。送信機１０４は、ポーリング信号を生成し得る。
【０１２４】
[00135]ＮＦＣデバイス１０２は、アンテナ回路に結合された受信機１１０によって受信されたポーリング信号のループバック信号１１６を測定８０４し得る。ポーリング信号は、受信機１１０にループバックされ得、それは、イニシエータ受信機（ＩＲＸ）として動作し得る。ＤＣ推定ブロック１１２は、ループバック信号１１６のＤＣレベル１１４を決定することによってループバック信号１１６を測定し得る。
【０１２５】
[00136]ＮＦＣデバイス１０２は、測定されたループバック信号１１６に従って、モデム取得閾値１３８を調整８０６し得る。例えば、ＮＦＣデバイス１０２は、モデム取得閾値１３８にループバック信号１１６のＤＣレベル１１４をマッピングし得る。様々なポーリング信号レベルについてのモデム取得閾値１３８は、このループバック法を使用して較正および最適化され得る。
【０１２６】
[00137]要約すると、方法８００は、アンテナ回路に適用された既知の特徴と共にポーリング信号を生成することを含み得る。方法８００は、アンテナ回路に結合された受信機によって受信されたポーリング信号のループバック信号も測定し得る。方法８００は、測定されたループバック信号に基づいて、モデム取得閾値を調整することをさらに含み得る。
【０１２７】
[00138]ポーリング信号は、アンテナ回路に接続された近距離通信（ＮＦＣ）イニシエータ送信機によって生成され得る。ポーリング信号は、アンテナ回路に結合されたＮＦＣイニシエータ受信機によって受信され得る。
【０１２８】
[00139]図９は、ＮＦＣデバイス９０２の詳細な構成を示すブロック図である。ＮＦＣデバイス９０２は、図１に関係して説明されたＮＦＣデバイス１０２に従って実施され得る。
【０１２９】
[00140]ＮＦＣデバイス９０２は、送信機９０４と、受信機９１０と、整合ネットワーク９１８と、アンテナ９２４とを含み得る。調整可能インピーダンスコンポーネント９２０は、整合ネットワーク１１８に結合され得る。調整可能インピーダンスコンポーネント９２０は、可変のキャパシタ９５８および９６０の組み合わせを含み得る。この構成では、調整可能インピーダンスコンポーネント９２０は、少なくとも１つの直列のキャパシタ９６０と、少なくとも１つの並列のキャパシタ９５８とを含む。キャパシタ９５８および９６０の構成を変化させることによって、全体のソリューション（例えば、整合ネットワーク１１８およびアンテナ１２４）の共振が調整される。
【０１３０】
[00141]一構成では、調整可能インピーダンスコンポーネント９２０は、受信機９１０内に含まれ得る。この構成では、調整可能インピーダンスコンポーネント９２０は、内部整合ネットワークと呼ばれ得、整合ネットワーク９１８は、外部整合ネットワーク９１８と呼ばれ得る。
【０１３１】
[00142]送信機９０４は、送信（ＴＸ）経路９５２を通って整合ネットワーク９１８に結合され得る。受信機９１０は、受信（ＲＸ）経路９５４を通って整合ネットワーク９１８に結合され得る。ＴＸ経路９５２およびＲＸ経路９５４の組み合わせは、ループバック経路９５６を形成し得る。送信機９０４によって送信された信号（例えば、キャリア信号１０８）は、ループバック経路９５６を通って受信機９１０によって受信され得る。
【０１３２】
[00143]受信機９１０は、調整可能インピーダンスコンポーネント９２０に結合された直交位相（Ｑブランチ）および同相ブランチ（Ｉブランチ）を含み得る。Ｉブランチは、発振器９６２から同相局部発振器信号（ＬＯＩ）９６４を受信するミキサ９６８ａを含み得る。バンドパスフィルタ（ＢＰＦ）９７０ａおよびローパスフィルタ（ＬＰＦ）９７４ａは、通常動作中に、アナログ／デジタル変換器（ＡＤＣ）９７６ａにフィルタ処理された信号を供給し得る。キャリア推定経路９７２ａは、ＢＰＦ９７０ａをバイパスするために、較正中にスイッチオンされ得る。ＡＤＣ９７６ａは、ＩブランチのＤＣレベル１１４を生成し得るＤＣ推定ブロック９１２ａに結合され得る。
【０１３３】
[00144]Ｑブランチは、発振器９６２から直交位相局部発振器信号（ＬＯＱ）９６６を受信するミキサ９６８ｂを含み得る。バンドパスフィルタ（ＢＰＦ）９７０ｂおよびローパスフィルタ（ＬＰＦ）９７４ｂは、通常動作中に、アナログ／デジタル変換器（ＡＤＣ）９７６ｂにフィルタ処理された信号を供給し得る。キャリア推定経路９７２ｂは、ＢＰＦ９７０ｂをバイパスするために、較正中にスイッチオンされ得る。ＡＤＣ９７６ｂは、ＱブランチのＤＣレベル１１４を生成し得るＤＣ推定ブロック９１２ｂに結合され得る。
【０１３４】
[00145]本明細書で説明されるループバック法は、ＮＦＣデバイス９０２の他のメトリックおよび共振周波数を較正するために使用され得、図１に関係して上述している。例えば、キャリア信号１０８は、ループバック経路９５６に沿ってループバックされ得る。整合ネットワーク９１８の共振は、調整可能インピーダンスコンポーネント９２０内のキャパシタ９５８および９６０を調整することによって調整され得る。最大のＤＣレベル１１４を作り出すインピーダンス構成３５３は、較正インピーダンス１３０であり得る。
【０１３５】
[00146]一手法では、キャパシタ９５８および９６０（そして、従ってインピーダンス１２２）は、キャップコードに基づいて調整され得る。ＤＣ推定ブロックは、ループバック経路９５６に基づいて、ループバックされたキャリア信号１０８に比例するＤＣレベル１１４を生成し得る。最大のＤＣレベル１１４（ＤＣ推定ブロック９１２ａ−ｂによって示されるように）を作り出すキャップコードは、較正されたキャップコードであり得る。
【０１３６】
[00147]図１０は、無線通信システム１０００における誘導性に結合される通信の一構成を示すブロック図である。イニシエータデバイス１００２ａおよびターゲットデバイス１００２ｂは、近距離通信（ＮＦＣ）プロトコルに従って動作し得る。イニシエータデバイス１００２ａおよびターゲットデバイス１００２ｂは、図１に関係して説明されたＮＦＣデバイス１０２に従って実施され得る。各デバイス１００２ａ−ｂは、電子回路１０７８ａ−ｂに接続されたアンテナ１０２４ａ−ｂを含み得る。動作中に、２つのＮＦＣデバイス１０２（すなわち、イニシエータデバイス１００２ａおよびターゲットデバイス１００２ｂ）の組み合わせは、変圧器のように作動し得る。
【０１３７】
[00148]ＮＦＣは、誘導性に結合される通信技術である。２つのＮＦＣ利用可能デバイス１００２ａ−ｂは、距離によって離され得る。交流は、一次コイル（すなわち、ポーリングデバイスアンテナ１０２４ａ）を通過し得、電磁場１０８０（それは、無線周波数（ＲＦ）場または放射場とも呼ばれ得る）を生み出し得る。電磁場１０８０は、二次コイル（すなわち、リスニングデバイスアンテナ１０２４ｂ）に電流を誘導し得る。ターゲットデバイス１００２ｂは、それ自体に電力を供給するために、イニシエータデバイス１００２ａによって送信された電磁場１０８０を使用し得る。
【０１３８】
[00149]構成および両方のアンテナ１０２４ａ−ｂの同調は、１つのデバイスから他のデバイスへの結合効率を決定し得る。イニシエータデバイス１００２ａおよびターゲットデバイス１００２ｂは、図１０に示されている。確かなＮＦＣ取引中に、ターゲットデバイス１００２ｂは、ターゲットとして機能し得、それは、ＮＦＣ規格で定義される役割である。
【０１３９】
[00150]一構成では、１つのデバイスのＮＦＣ送信機と、他のデバイスのＮＦＣ受信機とは、相互共振関係に従って構成される。ＮＦＣ受信機の共振周波数とＮＦＣ送信機の共振周波数とが極めて近い場合、受信機が放射場の「近距離場（near field）」に位置付けられるときに、ＮＦＣ送信機とＮＦＣ受信機との間の送信損失が最小になる。
【０１４０】
[00151]ＮＦＣデバイス１０２は、ＮＦＣループアンテナ１０２４を含み得る。ＮＦＣループアンテナ１０２４は、エネルギー送信および受信のための手段を提供し得る。述べられたように、効率的なエネルギー転送は、エネルギーの大部分を電磁波で遠距離場（far field）に伝搬するよりもむしろ、受信アンテナ１０２４に送信アンテナ１０２４の近距離場（near field）におけるエネルギーの大半を結合することによって起こり得る。
【０１４１】
[00152]ＮＦＣ利用可能デバイスは、通信が確立されるのを許可するために、十分なデータ１０８２を入手し得る。確立され得る通信の一形式は、国際標準化機構のデータ交換プロトコル（ＩＳＯ−ＤＥＰ）通信リンクである。ＮＦＣデバイス１０２間の通信は、様々なＮＦＣ無線周波数（ＲＦ）技術にわたって利用可能にされ得、これらに限定されず、ＮＦＣ−Ａ、ＮＦＣ−Ｂ、ＮＦＣ−Ｆなどを含む。
【０１４２】
[00153]図１１は、近距離無線通信システム１１００の簡素化された模式図を示している。送信機１１０４は、発振器１１８４と、電力増幅器１１８８と、フィルタおよび整合回路１１９２とを含む。発振器１１８４は、所望の周波数の信号を生成するように構成され、それは、調整信号１１８６に応答して調整され得る。発振器１１８４信号は、制御信号１１９０に応答する増幅量で、電力増幅器１１８８によって増幅され得る。フィルタおよび整合回路１１９２は、高調波または他の不要な周波数をフィルタ除去すること、および送信アンテナ１１２４ａに送信機１１０４のインピーダンスを整合することが含まれ得る。送信アンテナ１１２４ａは、放射場１１８０を送信し得る。
【０１４３】
[00154]受信機１１１０は、バッテリ１４５を充電する、または受信機に結合されたデバイス（図示せず）に電力供給するために、ＤＣ電力出力１１２５を生成するため、整合回路１１９４と、整流および切替回路１１９６とを含み得る。整合回路１１９４は、受信アンテナ１１２４ｂに受信機１１１０のインピーダンスを整合するために含まれ得る。整流切替回路１１９６は、制御信号１１９８によって調整され得る。受信機１１１０および送信機１１０４は、分かれた通信チャネル（例えば、Ｂｌｕｅｔｏｏｔｈ（登録商標）、Ｚｉｇｂｅｅ（登録商標）、セルラなど）上で通信し得る。
【０１４４】
[00155]図１２は、電子デバイス１２０２内に含まれ得る一定のコンポーネントを示している。電子デバイス１２０２は、アクセス端末や、モバイル局や、ユーザ機器（ＵＥ）などであり得る。例えば、電子デバイス１２０２は、図１のＮＦＣデバイス１０２または図３のＮＦＣデバイス３０２であり得る。
【０１４５】
[00156]電子デバイス１２０２は、プロセッサ１２０３を含む。プロセッサ１２０３は、汎用シングルまたはマルチチップマイクロプロセッサ（例えば、アドバンスドＲＩＳＣ（縮小命令セットコンピュータ）機器（ＡＲＭ（登録商標）））や、特殊用途向けマイクロプロセッサ（例えば、デジタル信号プロセッサ（ＤＳＰ））や、マイクロコントローラや、プログラマブルゲートアレイなどであり得る。プロセッサ１２０３は、中央処理ユニット（ＣＰＵ）と呼ばれ得る。単一のプロセッサ１２０３だけが図１２の電子デバイス１２０２に示されているが、代替的な構成では、プロセッサの組み合わせ（例えばＡＲＭおよびＤＳＰ）が使用されることが可能である。
【０１４６】
[00157]電子デバイス１２０２は、プロセッサと電子通信するメモリ１２０５も含む（すなわち、プロセッサは、メモリから情報を読み出すことおよび／またはメモリに情報を書き込むことが可能である）。メモリ１２０５は、電子情報を記憶することが可能な任意の電子コンポーネントであり得る。メモリ１２０５は、ランダムアクセスメモリ（ＲＡＭ）、読取専用メモリ（ＲＯＭ）、磁気ディスク記憶媒体、光学記憶媒体、ＲＡＭ内のフラッシュメモリデバイス、プロセッサに含まれるオンボードメモリ、ＥＰＲＯＭメモリ、ＥＥＰＲＯＭ（登録商標）メモリ、レジスタ、およびそれらの組み合わせを含むその他のものとして構成され得る。
【０１４７】
[00158]データ１２０７ａおよび命令１２０９ａは、メモリ１２０５に記憶され得る。命令は、１つまたは複数のプログラム、ルーチン、サブルーチン、関数、プロシージャ、コードなどを含み得る。命令は、単一のコンピュータ可読ステートメントまたは多くのコンピュータ可読ステートメントを含み得る。命令１２０９ａは、本明細書に開示された方法を実施するために、プロセッサ１２０３によって実行可能であり得る。命令１２０９ａを実行することは、メモリ１２０５に記憶されたデータ１２０７ａの使用を伴い得る。プロセッサ１２０３が命令１２０９を実行した時に、命令１２０９ｂの様々な部分がプロセッサ１２０３にロードされ得、様々なデータのピースがプロセッサ１２０３にロードされ得る。
【０１４８】
[00159]電子デバイス１２０２は、アンテナ１２２４を介して、電子デバイス１２０２への信号の送信、および電子デバイス１２０２からの信号の受信を許可するための、送信機１２０４および受信機１２１０も含み得る。送信機１２０４および受信機１２１０は、トランシーバ１２１５と総称され得る。電子デバイス１２０２は、複数の送信機、複数のアンテナ、複数の受信機、および／または複数のトランシーバも含み得る（図示せず）。
【０１４９】
[00160]電子デバイス１２０２は、デジタル信号プロセッサ（ＤＳＰ）１２２１を含み得る。電子デバイス１２０２は、通信インタフェース１２２３も含み得る。通信インタフェース１２２３は、ユーザが電子デバイス１２０２と対話することを許可し得る。
【０１５０】
[00161]電子デバイス１２０２の様々なコンポーネントは、１つまたは複数のバスによって互いに結合され得る、それは、電力バス、制御信号バス、ステータス信号バス、データバスなどを含み得る。明確にするために、様々なバスがバスシステム１２１９として図１２に示されている。
【０１５１】
[00162]以上の説明では、参照番号が、様々な用語に関連して使用されていることがある。用語が参照番号に関連して使用される場合、これは、図の１つまたは複数において示される具体的な要素を指すことを意味し得る。用語が参照番号なしに使用される場合、これは、いずれかの特定の図に限定することなく用語を一般的に指すことを意味し得る。
【０１５２】
[00163]「決定すること（determining）」という用語は、幅広い種類の動作を包含し、ゆえに、「決定すること」は、算出すること（calculating）、計算すること（computing）、処理すること（processing）、導出すること（deriving）、調査すること（investigating）、ルックアップすること（looking up）（例えば、表、データベース、または別のデータ構造をルックアップすること）、確実にすること（ascertaining）、および同様のことを含むことが可能である。また、「決定すること」は、受信すること（receiving）（例えば、情報を受信すること）、アクセスすること（accessing）（例えば、メモリ内のデータにアクセスすること）、および同様のことを含むことが可能である。また、「決定すること」は、解決すること（resolving）、選択すること（selecting）、選ぶこと（choosing）、確立すること（establishing）、および同様のことを含むことが可能である。
【０１５３】
[00164]「〜に基づいて（based on）」という表現は、別段の規定がない限り、「〜だけに基づいて（based only on）」を意味しない。言い換えれば、「〜に基づいて」という表現は、「〜だけに基づいて」および「少なくとも〜に基づいて（based at least on）」の両方を説明する。
【０１５４】
[00165]「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、ステートマシンなどを包含するように広く解釈されるべきである。いくつかの環境下では、「プロセッサ」は、特定用途向け集積回路（ＡＳＩＣ）や、プログラマブル論理デバイス（ＰＬＤ）、フィールドプログラマブルゲートアレイ（ＦＰＧＡ）などを指し得る。「プロセッサ」という用語は、例えば、デジタル信号プロセッサ（ＤＳＰ）とマイクロプロセッサの組み合わせ、複数のマイクロプロセッサ、デジタル信号プロセッサ（ＤＳＰ）コアと連結した１つまたは複数のマイクロプロセッサ、もしくは任意のその他のこのような構成のような、処理デバイスの組み合わせを指し得る。
【０１５５】
[00166]「メモリ」という用語は、電子情報を記憶することができる任意の電子コンポーネントを包含するように広く解釈されるべきである。用語メモリは、ランダムアクセスメモリ（ＲＡＭ）、読取専用メモリ（ＲＯＭ）、不揮発性ランダムアクセスメモリ（ＮＶＲＡＭ）、プログラマプル読取専用（ＰＲＯＭ）、消去可能プログラマブル読取専用メモリ（ＥＰＲＯＭ）、電子的消去可能ＰＲＯＭ（ＥＥＰＲＯＭ）、フラッシュメモリ、磁気的あるいは光学的データ記憶装置、レジスタなどのような、様々なタイプのプロセッサ可読媒体を指し得る。メモリは、プロセッサがメモリから情報を読み出すおよび／またはメモリに情報を書き込むことが可能な場合、そのプロセッサと電気通信していると考えられる。プロセッサに統合されているメモリは、そのプロセッサと電子通信している。
【０１５６】
[00167]「命令」および「コード」という用語は、任意のタイプの（１つまたは複数の）コンピュータ可読ステートメントを含むように広く解釈されるべきである。例えば、「命令」および「コード」という用語は、１つまたは複数のプログラム、ルーチン、サブルーチン、関数、プロシージャなどを指し得る。「命令」および「コード」は、単一のコンピュータ可読ステートメント、または多くのコンピュータ可読ステートメントを備え得る。
【０１５７】
[00168]本明細書で説明される関数は、ハードウェアによって実行されるソフトウェアまたはファームウェアにおいて実施され得る。これら関数は、コンピュータ可読媒体上で、１つまたは複数の命令として記憶され得る。「コンピュータ可読媒体」または「コンピュータプログラム製品」という用語は、コンピュータまたはプロセッサによってアクセスされることが可能な任意の有形の記憶媒体を指す。例として、および限定ではなく、コンピュータ可読媒体は、コンピュータによってアクセスされることが可能であり、且つデータ構造または命令の形式で所望のプログラムコードを記憶または搬送するために使用可能な、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは任意のその他の媒体を含み得る。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc)（ＤＶＤ）、フロッピー（登録商標）ディスク（disk）、およびブルーレイ（登録商標）ディスク（disc）を含み、ここにおいてディスク（disｋ）が通常、磁気的にデータを再生する一方で、ディスク（disc）は、レーザーを用いて光学的にデータを再生する。コンピュータ可読媒体が、有形および非一時的であり得ることに注意されたい。「コンピュータプログラムプロダクト（computer-program product）」という用語は、コンピューティングデバイスまたはプロセッサによって実行、処理、または計算され得るコードまたは命令（例えば、「プログラム」）と組み合わせたコンピューティングデバイスまたはプロセッサを指す。本明細書で使用される場合、「コード（code）」という用語は、コンピューティングデバイスまたはプロセッサによって実行可能であるソフトウェア、命令、コードまたはデータを指し得る。
【０１５８】
[00169]ソフトウェアまたは命令もまた、送信媒体を介して送信され得る。例えば、ソフトウェアが、同軸ケーブル、光ファイバーケーブル、ツイストペア、ＤＳＬ、または赤外線、無線、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、無線、およびマイクロ波のようなワイヤレス技術は、媒体の定義に含まれる。
【０１５９】
[00170]本明細書に開示されている方法は、説明された方法を達成するための１つまたは複数のステップまたは動作を備える。方法のステップおよび／または動作は、特許請求の範囲から逸脱することなく互いに置き換えられ得る。言い換えると、ステップまたは動作の特定の順序が、説明されている方法の正常な動作のために必要とされない限り、特定のステップおよび／または動作の順序および／または使用は、特許請求の範囲から逸脱することなく修正され得る。
【０１６０】
[00171]さらに、図２、および図４乃至図８で示されているような、本明細書で説明された方法および技法を実行するためのモジュールおよび／または他の適切な手段は、デバイスによってダウンロードされるおよび／または別の方法で取得されることが可能であることが理解されるべきである。例えば、デバイスは、本明細書で説明された方法を実行するための手段の転送を容易にするために、サーバに結合され得る。代替として、本明細書で説明された様々な方法は、デバイスに記憶手段を結合または提供した際に、デバイスが様々な方法を取得し得るように、記憶手段（例えば、ランダムアクセスメモリ（ＲＡＭ）、読取専用メモリ（ＲＯＭ）、コンパクトディスク（ＣＤ）またはフロッピーディスクのような物理記憶媒体など）を介して提供されることが可能である。さらに、本明細書で説明された方法および技法をデバイスに提供するための任意の他の適切な技法が、利用されることが可能である。
【０１６１】
[00172]本願の特許請求の範囲が、上述のまさにその構成およびコンポーネントのみに限定されないことが、理解されるべきである。様々な修正、変更、およびバリエーションは、特許請求の範囲から逸脱することなく、本明細書において説明されたシステム、方法、および装置の配置、動作、および詳細において作成され得る。
【図１】
2017538377.tif 000003
【図２】
2017538377.tif 000004
【図３】
2017538377.tif 000005
【図４】
2017538377.tif 000006
【図５】
2017538377.tif 000007
【図６】
2017538377.tif 000008
【図７】
2017538377.tif 000009
【図８】
2017538377.tif 000010
【図９】
2017538377.tif 000011
【図１０】
2017538377.tif 000012
【図１１】
2017538377.tif 000013
【図１２】
2017538377.tif 000014
【国際調査報告】
2017538377.tif 000015
2017538377.tif 000016